(57)【要約】  タイヤを管理する装置（１）は、軸方向中央の線平面（４）にほぼ平行になる形でタイヤ（３）を受けるように構成された支持面（２）を含み、当接横部分（１０ａ）と、支持面に対して特定の高さに配置された自由横部分（１０ｂ）とが規定される。圧力要素（２３）は、支持面に向けられた力（Ｆ）を自由横部分（１０ｂ）の測定面に加えるように構成される。位置決めアクチュエータ（１９）は、圧力要素（２３）に動作可能に連結され、タイヤの回転軸（Ｘ）に垂直な少なくとも１つの移動要素を用いて、圧力要素（２３）を移動させるように構成される。装置はまた、測定面の角度位置を変えるための装置を含む。制御ユニットは、測定面の各位置において、回転軸（Ｘ）のまわりの測定面の少なくとも完全な１回転にわたり、ほぼ一定に維持される入力データの第１の値（Ｉ１）に対応した、出力データの第１の値（Ｕ１）を検出し、測定面の各位置での出力データの第２の値（Ｕ２）を検出するようにプログラムを組まれる。出力データの第２の値（Ｕ２）は、測定面の少なくとも完全な１回転にわたり、ほぼ一定に維持される入力データの第２の値（Ｉ２）に対応する。制御ユニットは、測定面の各位置において、出力データの第２の値（Ｕ２）と出力データの第１の値（Ｕ１）との間の差（Ｄ）を計算するようにプログラムを組まれたモジュールを含む。
2016540978.tif 000002
【特許請求の範囲】
【請求項１】
タイヤを管理する方法であって、
ｉ）軸方向中央の線平面（４）を支持面（２）に対して実質的に平行にして、タイヤ（３）を前記支持面（２）に配置し、当接横部分（１０ａ）と、前記支持面に対して特定の高さに配置された自由横部分（１０ｂ）とを規定することと、
ｉｉ）前記支持面に向けられた力（Ｆ）を前記自由横部分（１０ｂ）の測定面（Ｍ）に加えることと、
ｉｉｉ）前記自由横部分（１０ｂ）に関して、前記タイヤの回転軸（Ｘ）に対する前記測定面の角度位置を変えることと、
ｉｖ）前記測定面の各位置での前記力または前記高さに対応する入力データの第１の値（Ｉ１）をセットし、前記回転軸（Ｘ）のまわりの前記測定面の少なくとも完全な１回転にわたり、前記第１の値をほぼ一定に維持することと、
ｖ）前記測定面の各位置での出力データの第１の値（Ｕ１）を検出し、前記出力データは、
前記入力データが前記測定面の各位置での前記タイヤの前記自由横部分の前記高さである場合は前記力、
または、前記入力データが前記測定面の各位置で加えられる力である場合は前記高さ、
に対応することと、
ｖｉ）前記入力データの第２の値（Ｉ２）をセットし、前記回転軸（Ｘ）のまわりの前記測定面の少なくとも完全な１回転にわたり、前記第２の値をほぼ一定に維持し、
前記入力データの前記第１の値（Ｉ１）は、前記入力データの前記第２の値（Ｉ２）とは異なることと、
ｖｉｉ）前記測定面の各位置での前記出力データの第２の値（Ｕ２）を検出し、前記出力データの前記第２の値（Ｕ２）は、前記入力データの前記第２の値（Ｉ２）に対応することと、
ｖｉｉｉ）前記測定面の各位置において、前記出力データの前記第２の値（Ｕ２）と前記出力データの前記第１の値（Ｕ１）との間の関係（Ｄ）を計算することと、
を含む方法。
【請求項２】
前記測定面の各位置で、前記出力データの前記第２の値（Ｕ２）と前記出力データの前記第１の値（Ｕ１）との間の前記関係（Ｄ）を廃棄閾値（Ｓ）と比較することを含む、請求項１に記載のタイヤを管理する方法。
【請求項３】
前記比較に応じて、前記タイヤを廃棄するか、または容認することを含む、請求項２に記載のタイヤを管理する方法。
【請求項４】
前記入力データの前記第１の値（Ｉ１）は、前記回転軸（Ｘ）のまわりの前記測定面の少なくとも完全な３回転にわたり、ほぼ一定に維持される、請求項１〜３のいずれか１項に記載のタイヤを管理する方法。
【請求項５】
前記入力データの前記第２の値（Ｉ２）は、前記回転軸（Ｘ）のまわりの前記測定面の少なくとも完全な２回転にわたり、ほぼ一定に維持される、請求項１〜４のいずれか１項に記載のタイヤを管理する方法。
【請求項６】
前記入力データの前記第１の値（Ｉ１）は、前記力に関する場合に、約０．５Ｎ〜約５００Ｎである、請求項１〜５のいずれか１項に記載のタイヤを管理する方法。
【請求項７】
前記入力データの前記第１の値（Ｉ１）は、前記高さに関する場合に、約８０ｍｍ〜約６００ｍｍである、請求項１〜５のいずれか１項に記載のタイヤを管理する方法。
【請求項８】
前記入力データの前記第２の値（Ｉ２）は、前記力に関する場合に、約０．６Ｎ〜約６００Ｎである、請求項１〜７のいずれか１項に記載のタイヤを管理する方法。
【請求項９】
前記入力データの前記第２の値（Ｉ２）は、前記高さに関する場合に、約７０ｍｍ〜約５９０ｍｍである、請求項１〜７のいずれか１項に記載のタイヤを管理する方法。
【請求項１０】
前記測定面は、前記タイヤの前記自由横部分の軸方向外側領域に配置される請求項１〜９のいずれか１項に記載のタイヤを管理する方法。
【請求項１１】
前記測定面は、前記力（Ｆ）を加える前に、前記支持面（２）に対して、より高い位置に配置された前記タイヤの前記自由横部分（１０ｂ）の領域に配置される請求項１〜１０のいずれか１項に記載のタイヤを管理する方法。
【請求項１２】
前記タイヤは、前記力（Ｆ）を加える前に空気を入れられる、請求項１〜１１のいずれか１項に記載のタイヤを管理する方法。
【請求項１３】
前記自由横部分と前記当接横部分とを逆にする態様で前記タイヤを傾転させることと、
ｉｉ）からｖｉｉｉ）の作業を繰り返すことと、
を含む、請求項１〜１２のいずれか１項に記載のタイヤを管理する方法。
【請求項１４】
前記測定面の各位置での前記関係（Ｄ）を廃棄閾値（Ｓ）と比較することを含む、請求項１３に記載のタイヤを管理する方法。
【請求項１５】
前記比較に応じて、前記タイヤを廃棄するか、または容認することを含む、請求項１４に記載のタイヤを管理する方法。
【請求項１６】
前記測定面の特定の位置で、前記タイヤの横部分に関して計算された前記関係と、前記軸方向中央の線平面（４）に関して対称な前記測定面の位置で、前記タイヤの他方の横部分に関して計算された前記関係との間の総合的な関係を計算することを含む、請求項１３に記載のタイヤを管理する方法。
【請求項１７】
前記総合的な関係を廃棄閾値と比較することを含む、請求項１６に記載のタイヤを管理する方法。
【請求項１８】
前記比較に応じて、前記タイヤを廃棄するか、または容認することを含む、請求項１７に記載のタイヤを管理する方法。
【請求項１９】
前記自由横部分（１０ｂ）に関して、前記タイヤの前記回転軸に対する前記測定面の前記角度位置を変えるために、前記タイヤを前記回転軸（Ｘ）のまわりに回転させることを含む、請求項１〜１８のいずれか１項に記載のタイヤを管理する方法。
【請求項２０】
前記測定面の各位置で、前記出力データの前記値を連続して検出することを含む、請求項１９に記載のタイヤを管理する方法。
【請求項２１】
前記測定面は、前記回転軸（Ｘ）からほぼ一定の距離に配置される、請求項１〜２０のいずれか１項に記載のタイヤを管理する方法。
【請求項２２】
前記支持面（２）に向けられた前記力（Ｆ）を加えることには、
−  前記自由横部分（１０ｂ）に対して、圧力要素（２３）を前記測定面上で垂直に配置することと、
−  前記自由横部分に向かう接近移動を作動させて、前記圧力要素（２３）を前記タイヤ（３）に接近させることと、
−  前記自由横部分（１０ｂ）をセンサ（２６）で検出し、前記接近移動を停止させることと、
−  前記自由横部分（１０ｂ）に押し当てた前記圧力要素（２３）の圧力移動を作動させることと、
が含まれる、請求項１〜２１のいずれか１項に記載のタイヤを管理する方法。
【請求項２３】
前記関係（Ｄ）が計算される前記第１の出力データ（Ｕ１）および前記第２の出力データ（Ｕ２）のそれぞれは、前記第１の入力データ（Ｉ１）および前記第２の入力データ（Ｉ２）をほぼ一定に維持しながら、前記測定面を前記回転軸（Ｘ）のまわりに少なくとも完全に２回転させた後、検出されるものである、請求項１〜２２のいずれか１項に記載のタイヤを管理する方法。
【請求項２４】
前記タイヤの同じ横部分にある前記測定面の少なくとも２つの異なる位置で、前記出力データの少なくとも２つの値（Ｕ２）、または前記出力データの前記第２の値（Ｕ２）と前記出力データの前記第１の値（Ｕ１）との間の少なくとも２つの関係（Ｄ）を比較することを含む、請求項１〜２３のいずれか１項に記載のタイヤを管理する方法。
【請求項２５】
前記支持面（２）は実質的に水平である、請求項１〜２４のいずれか１項に記載のタイヤを管理する方法。
【請求項２６】
前記関係（Ｄ）は、前記出力データの前記第２の値（Ｕ２）と前記出力データの前記第１の値（Ｕ１）との間の差を表す、請求項１〜２５のいずれか１項に記載のタイヤを管理する方法。
【請求項２７】
タイヤを管理する装置であって、
−  軸方向中央の線平面（４）にほぼ平行になる形でタイヤ（３）を受けるように構成された支持面（２）であって、当接横部分（１０ａ）と、前記支持面に対して特定の高さに配置された自由横部分（１０ｂ）とを規定する支持面と、
−  前記支持面に向けられた力（Ｆ）を前記タイヤ（３）の前記自由横部分（１０ｂ）の測定面に加えるように構成された圧力要素（２３）と、
−  前記圧力要素（２３）に動作可能に連結され、前記タイヤの回転軸（Ｘ）に垂直な少なくとも１つの移動要素を用いて、前記圧力要素（２３）を移動させるように構成された位置決めアクチュエータ（１９）と、
−  前記自由横部分（１０ｂ）に関して、前記タイヤの前記回転軸（Ｘ）に対する前記測定面の角度位置を変えるための装置と、
−  制御ユニットであって、
前記回転軸（Ｘ）のまわりの前記測定面の少なくとも完全な１回転にわたり、ほぼ一定に維持される入力データの第１の値（Ｉ１）に対応した、前記測定面の各位置での出力データの第１の値（Ｕ１）を検出し、前記出力データは、前記入力データが前記測定面の各位置での前記タイヤの前記自由横部分の前記高さである場合に前記力に対応し、または前記入力データが前記測定面の各位置に加えられる前記力である場合に前記高さに対応し、
前記測定面の各位置での前記出力データの第２の値（Ｕ２）を検出し、前記出力データの前記第２の値（Ｕ２）は、前記回転軸（Ｘ）のまわりの前記測定面の少なくとも完全な１回転にわたり、ほぼ一定に維持される前記入力データの第２の値（Ｉ２）に対応する、
ようにプログラムを組まれた制御ユニットと、
を含み、
前記制御ユニットは、前記測定面の各位置において、前記出力データの前記第２の値（Ｕ２）と前記出力データの前記第１の値（Ｕ１）との間の関係（Ｄ）を計算するようにプログラムを組まれたモジュールを含む、タイヤを管理する装置。
【請求項２８】
前記支持面（２）は実質的に水平である、請求項２７に記載のタイヤを管理する装置。
【請求項２９】
前記圧力要素（２３）に動作可能に連結され、前記圧力要素（２３）を前記自由横部分（１０ｂ）に押し付けるように構成された圧力アクチュエータ（２５）を含む、請求項２７に記載のタイヤを管理する装置。
【請求項３０】
前記圧力要素（２３）に動作可能に連結され、前記圧力要素（２３）を前記タイヤ（３）の前記自由横部分（１０ｂ）に接近させるように構成された接近アクチュエータ（２１）を含む、請求項２７に記載のタイヤを管理する装置。
【請求項３１】
前記自由横部分（１０ｂ）を検出して、前記接近アクチュエータ（２１）を停止させるように構成されたセンサ（２６）を含む、請求項３０に記載のタイヤを管理する装置。
【請求項３２】
前記圧力要素（２３）を含み、前記圧力要素（２３）を前記タイヤ（３）の前記自由横部分（１０ｂ）に対して位置決めするために、前記位置決めアクチュエータ（１９）に動作可能に連結された少なくとも１つの第１のスライダ（１８）を含む、請求項２７に記載のタイヤを管理する装置。
【請求項３３】
前記第１のスライダ（１８）は、少なくとも１つの第２のスライダ（２０）を含み、前記第２のスライダ（２０）は、前記圧力要素（２３）を含み、前記圧力要素（２３）を前記タイヤ（３）の前記自由横部分（１０ｂ）に接近させるために、前記接近アクチュエータ（２１）に動作可能に連結される、請求項３２に記載のタイヤを管理する装置。
【発明の詳細な説明】
【発明の概要】
【０００１】
本発明の対象は、タイヤを管理する方法および装置である。
【０００２】
タイヤの製造サイクルは、１つまたは複数の構築ラインで加工されるタイヤの様々な構成要素を得ること、および／またはその構成要素を組み立てること、次いで、所望の幾何形状およびトレッドパターンの通りにタイヤ構造を規定する成形および加硫プロセスを未硬化タイヤに施すことを提供する。
【０００３】
タイヤは、成形および加硫される場合に、回転軸のまわりに巻かれ、前記回転軸に垂直な軸方向中央の線平面（an axial middle line plane）に関して実質的に対称なトロイダル構造によって規定される。特に、トロイダル構造は、タイヤの半径方向外側領域で、軸方向中央の線平面にほぼ垂直に配置されたクラウン部分と、それぞれ軸方向中央の線平面の両側で、タイヤの半径方向内側領域に配置された２つの固定部分と、それぞれ固定部分の一方とクラウン部分との間で、軸方向中央の線平面の両側に延びる横部分とを含む。
【０００４】
「軸方向中央の線平面」とは、タイヤ自体の軸方向外側部分から等距離にある、回転軸に対して垂直な平面を意味する。タイヤの「クラウン部分」とは、タイヤの半径方向外側領域で、軸方向中央の線平面にほぼ垂直に配置され、トレッドバンドと、トレッドバンドに対して半径方向内側に配置されたベルト構造体およびカーカスの一部分に対応するタイヤの部分を意味する。
【０００５】
一般に「ビード部」とも規定されるタイヤの「固定部分」とは、それぞれ軸方向中央の線平面の両側に配置され、ホイールのリムと係合する態様で構成されたタイヤの半径方向内側領域を意味する。
【０００６】
タイヤの「横部分」とは、それぞれ各固定部分とクラウン部分との間で、軸方向中央の線平面の軸方向両側に延在し、サイドウオールと、前記サイドウオールに対して軸方向内側位置に配置されたカーカスの一部分とに対応するタイヤの部分を意味する。
【０００７】
タイヤの「当接横部分」および「自由横部分」とは、それぞれ支持面に当接した横部分と、支持面から特定の高さに配置された、反対側の横部分とを意味する。
【０００８】
「測定面」とは、前記横部分の面全体に対して大きさを限定された、適時に管理される面を意味する。
【０００９】
「軸方向中央の線平面に関して対称な位置に配置された測定面」とは、それぞれタイヤの横部分であり、タイヤの回転軸に対して同じ角度の半径方向位置に配置された２つの測定面を意味する。
【００１０】
米国特許出願公開第２００６／０２７２４０８号は、タイヤの均一性を測定する方法および装置を記載している。方法は、タイヤをスピンドルに取り付けるステップと、第１の押付力で、回転ドラムの円周面をタイヤのトレッド面に押し付けるステップと、タイヤが回転している間に、タイヤの第１および第２の平面に作用する力を計算手段によって計算するステップとを含む。
【００１１】
特開２００８−１９０９８１号は、タイヤのサイドウオールの剛性を測定する方法および装置を記載している。タイヤを変形させるために、平坦化力が、圧力ローラによって、一方の側のタイヤのサイドウオールに加えられる。タイヤの前記サイドウオールの一方の側の移動が、測定手段によって測定され、サイドウオールの剛性が、これらの検出および測定結果に基づいて求められる。
【００１２】
公知の製造サイクルでは、欠陥を特定するために、前述の文献に記載されているように、成形および加硫されたタイヤは、手動目視管理を受けるか、または自動管理を受けることができる。
【００１３】
そのような手動目視管理の１つは、横部分の剛性が不十分であるタイヤを破棄するために、すなわち、いわゆる「弱体サイドウオール」欠陥を特定するために行われ、サイドウオールとは、完成したタイヤの横部分を意味する。
【００１４】
本出願人は、今まで行われた手動管理の精度が、検査を行うために配置されたオペレータの経験に大きく依存し、主観性が高いことに気付いた。
【００１５】
本出願人は、完成品の品質を改善するための、より高精度の手動管理の導入には、タイヤの製造時間を過剰に増やす危険性があることを検証した。
【００１６】
本出願人は、米国特許出願公開第２００６／０２７２４０８号および特開２００８−１９０９８１号で説明されたタイプのタイヤの自動管理を使用することで、管理自体の客観性を改善できるが、影響する要因が非常に多いために、測定の精度および管理プロセスの再現性を保証することができないと気付いた。
【００１７】
したがって、本出願人は、実行される管理に対して変化しないモードに従って、管理されるタイヤを支持面に配置することと、自由横部分に、同じ、または異なる時間にわたって、様々な大きさの力を同様に作用させることとにより、管理の不安定な再現性および管理の良好な結果をもたらすすべての要因を限定することができると分かった。
【００１８】
最後に、本出願人は、軸方向中央の線平面を支持面に対して実質的に平行にして、タイヤを支持面に配置すること、および前もって設定された時間にわたって、異なる大きさの少なくとも２つの力（または動作）を加えることで、管理の結果に影響を及ぼす要因が限定され、管理が信頼でき、かつ再現可能なものになって、上記の問題が解決されることを発見した。
【００１９】
より詳細には、第１の態様によれば、本発明は、タイヤを管理する方法に関する。
【００２０】
好ましくは、方法は、ｉ）軸方向中央の線平面を支持面に対して実質的に平行にして、タイヤを支持面に配置し、当接横部分と、前記支持面に対して特定の高さに配置された自由横部分とを規定することを含む。
【００２１】
好ましくは、方法は、ｉｉ）支持面に向けられた力を自由横部分の測定面に加えることを含む。
【００２２】
好ましくは、方法は、ｉｉｉ）自由横部分に関して、タイヤの回転軸に対する測定面の角度位置を変えることを含む。
【００２３】
好ましくは、方法は、ｉｖ）測定面の各位置での前記力または前記高さに対応する入力データの第１の値をセットし、前記回転軸のまわりの測定面の少なくとも完全な１回転にわたり、第１の値をほぼ一定に維持することを含む。
【００２４】
好ましくは、方法は、ｖ）測定面の各位置での出力データの第１の値を検出し、前記出力データが、
前記入力データが測定面の各位置でのタイヤの自由横部分の高さである場合は前記力、
または、前記入力データが測定面の各位置に加えられる力である場合は前記高さ、
に対応することを含む。
【００２５】
好ましくは、方法は、ｖｉ）入力データの第２の値をセットし、前記回転軸のまわりの測定面の少なくとも完全な１回転にわたり、第２の値をほぼ一定に維持することを含む。
【００２６】
好ましくは、入力データの前記第１の値は、入力データの前記第２の値とは異なる。
【００２７】
好ましくは、方法は、ｖｉｉ）測定面の各位置での出力データの第２の値を検出し、出力データの前記第２の値は、入力データの第２の値に対応することを含む。
【００２８】
好ましくは、方法は、ｖｉｉｉ）測定面の各位置において、出力データの前記第２の値と出力データの前記第１の値との間の関係を計算することを含む。
【００２９】
本出願人は、本発明による方法が、様々な要因による説明した問題を解決すると考える。加えた力に対する反力は、支持面などの固定した構成要素で生じ、当接横部分は変形せず、したがって、管理の結果に影響を及ぼさず、互いに異なる入力データの前記第１の値および前記第２の値をセットすることで、各タイヤのタイプが異なることによる制約、および潜在的に常に変化する周囲の測定条件による制約を受けない関係、好ましくは「差分値」を求めることが可能になる。
【００３０】
別の態様によれば、本発明は、タイヤを管理する装置に関する。
【００３１】
好ましくは、装置は、軸方向中央の線平面にほぼ平行になる形でタイヤを受けるように構成された支持面を含み、当接横部分と、前記支持面に対して特定の高さに配置された自由横部分とが規定される。
【００３２】
好ましくは、装置は、支持面に向けられた力をタイヤの前記自由横部分の測定面に加えるように構成された圧力要素を含む。
【００３３】
好ましくは、装置は、圧力要素に動作可能に連結され、タイヤの回転軸に垂直な少なくとも１つの移動要素を用いて、前記圧力要素を移動させるように構成された位置決めアクチュエータを含む。
【００３４】
好ましくは、装置は、自由横部分に関して、タイヤの回転軸に対する測定面の角度位置を変えるための装置を含む。
【００３５】
好ましくは、装置は、前記回転軸のまわりの測定面の少なくとも完全な１回転にわたり、ほぼ一定に維持される入力データの第１の値に対応した、測定面の各位置での出力データの第１の値を検出し、前記出力データは、前記入力データが測定面の各位置でのタイヤの自由横部分の高さである場合に前記力に対応し、または前記入力データが測定面の各位置に加えられる力である場合に前記高さに対応するようにプログラムを組まれた制御ユニットを含む。
【００３６】
好ましくは、装置は、測定面の各位置での出力データの第２の値を検出し、出力データの前記第２の値は、前記回転軸のまわりの測定面の少なくとも完全な１回転にわたり、ほぼ一定に維持される入力データの第２の値に対応する。
【００３７】
好ましくは、前記制御ユニットは、測定面の各位置において、出力データの前記第２の値と出力データの前記第１の値との間の関係を計算するようにプログラムを組まれたモジュールを含む。
【００３８】
本出願人は、本発明による装置が、説明した問題を解決し、前記方法の適用を可能にすると考える。特に、支持面とは、加えられた力に対して実質的に一定の反作用を及ぼすことができる、固定した構成要素を指し、制御ユニットは、各タイヤのタイプが異なることによる制約、および潜在的に常に変化する周囲の測定条件による制約を受けない関係、好ましくは「差分値」を求めるようにプログラムを組まれる。
【００３９】
前記態様の少なくとも１つにおいて、本発明は、以下の好ましい特徴の少なくとも１つを有することができる。
【００４０】
好ましくは、測定面の各位置で、出力データの前記第２の値と出力データの前記第１の値との間の前記関係が廃棄閾値と比較される。
【００４１】
本出願人は、そのような比較が客観的であり、各タイヤのタイプが異なることによる制約を受けない結果が得られると考える。
【００４２】
さらにより好ましくは、前記比較に応じて、タイヤが廃棄されるか、または容認される。
【００４３】
本出願人は、結果の再現性により、廃棄されるタイヤの自動選別が可能になると考える。
【００４４】
好ましくは、入力データの前記第１の値は、前記回転軸のまわりの測定面の少なくとも完全な３回転にわたり、ほぼ一定に維持される。
【００４５】
本出願人は、前記回転軸のまわりの測定面の少なくとも完全な３回転にわたって、入力データの第１の値を適用することで、試験に客観性をもたせ、起こり得るヒステリシスを防止し、管理の安定性を保証することが可能になると考える。
【００４６】
好ましくは、入力データの前記第２の値は、前記回転軸のまわりの測定面の少なくとも完全な２回転にわたり、ほぼ一定に維持される。
【００４７】
本出願人は、前記回転軸のまわりの測定面の少なくとも完全な２回転にわたって、入力データの第２の値を適用することで、試験に客観性をもたせ、起こり得るヒステリシスを防止し、管理の安定性を保証することが可能になると考える。
【００４８】
好ましくは、入力データの前記第１の値は、前記力に関する場合に、約０．５Ｎ〜約５００Ｎである。
【００４９】
本出願人は、そのような値により、自由横部分が、自由横部分の若干の変形だけを引き起こすような力を加えられて配置される第１の配置ステップを実行することが可能になると考える。
【００５０】
好ましくは、入力データの前記第１の値は、前記高さに関する場合に、約８０ｍｍ〜約６００ｍｍである。
【００５１】
本出願人は、そのような値により、自由横部分が、自由横部分の若干の変形だけを引き起こすような動作を加えられて配置される第１の配置ステップを実行することが可能になると考える。
【００５２】
好ましくは、入力データの前記第２の値は、前記力に関する場合、入力データの第１の値よりも大きい。
【００５３】
好ましくは、入力データの前記第２の値は、前記力に関する場合に、約０．６Ｎ〜６００Ｎである。
【００５４】
本出願人は、そのような値により、例えば、剛性の観点から自由横部分の応答を評価するために、自由横部分のかなりの動作を引き起こすように力が加えられる第２のステップの実行が可能になると考える。
【００５５】
好ましくは、入力データの前記第２の値は、前記高さに関する場合に、第１の入力データよりも小さい。
【００５６】
好ましくは、入力データの前記第２の値は、前記高さに関する場合に、約７０ｍｍ〜約５９０ｍｍである。
【００５７】
本出願人は、そのような値により、例えば、剛性の観点から自由横部分の応答を評価するために、自由横部分のかなりの反作用を引き起こすように動作が加えられる第２のステップの実行が可能になると考える。
【００５８】
好ましくは、前記測定面は、タイヤの自由横部分の軸方向外側領域に配置される。
【００５９】
本出願人は、そのような領域が、機器分析において、自由横部分のあり得る弱点をより顕著に示す領域であることを実験的に検証することができた。
【００６０】
好ましくは、前記測定面は、前記力を加える前に、支持面に対してより高い位置に配置されたタイヤの自由横部分の領域に配置される。
【００６１】
本出願人は、そのような領域が、機器分析において、自由横部分のあり得る弱点をより顕著に示す領域であることを実験的に検証することができた。
【００６２】
好ましくは、前記タイヤは、前記力を加える前に空気を入れられる。
【００６３】
好ましくは、自由横部分と当接横部分とを逆にして、ｉｉ）からｖｉｉｉ）までの作業を繰り返すような態様でタイヤが傾転される。
【００６４】
より好ましくは、測定面の各位置での前記関係が廃棄閾値と比較される。
【００６５】
さらにより好ましくは、前記比較に応じて、タイヤが廃棄されるか、または容認される。
【００６６】
本出願人は、適用された装置および方法により、２つの横部分に対して実行された検証は互いに独立しており、客観値を付与すると考える。
【００６７】
好ましくは、測定面の特定の位置で、タイヤの横部分に関して計算された関係と、前記軸方向中央の線平面に関して対称な測定面の位置で、タイヤの他方の横部分に関して計算された関係との間の総合的な関係が計算される。
【００６８】
本出願人は、各横部分の客観値を得た場合に、測定面の対称位置で得たデータを比較し、タイヤ品質の客観値を得ることが可能であり、タイヤの起こり得る不均一性を特定することが可能であると考える。
【００６９】
より好ましくは、前記総合的な関係が廃棄閾値と比較される。
【００７０】
本出願人は、そのような比較が客観的であり、各タイヤのタイプが異なることによる制約を受けない結果が得られると考える。
【００７１】
さらにより好ましくは、前記比較に応じて、タイヤが廃棄されるか、または容認される。
【００７２】
本出願人は、結果の再現性により、廃棄されるタイヤの自動選別が可能になると考える。
【００７３】
好ましくは、自由横部分に関して、タイヤの回転軸に対する測定面の角度位置を変えるために、タイヤが前記回転軸のまわりに回転される。
【００７４】
本出願人は、そのような状況は、装置の構造を単純化するのを可能にすることから、そのような状況が最適であると考える。
【００７５】
好ましくは、測定面の各位置で、出力データの値が連続して検出される。
【００７６】
本出願人は、連続検出が、いわゆる「弱体サイドウオール」欠陥を示すことだけでなく、自由横部分および／またはタイヤの起こり得る不均一性を特定することも目的とするタイヤの全体的な特徴付けを可能にすると考える。
【００７７】
好ましくは、前記測定面は、回転軸からほぼ一定の距離に配置される。
【００７８】
本出願人は、特定の円周に沿ったタイヤの特徴付けにより、客観的でかつ比較可能な値を得るのが可能になると考える。
【００７９】
好ましくは、支持面に向けられた前記力を加えることには、
−  自由横部分に対して、圧力要素を測定面上で垂直に配置することと、
−  自由横部分に向かう接近移動を作動させて、圧力要素をタイヤに接近させることと、
−  自由横部分をセンサで検出し、接近移動を停止させることと、
−  自由横部分に押し当てた圧力要素の圧力移動を作動させることと、
が含まれる。
【００８０】
本出願人は、圧力要素の接近および押し付けにより、本発明による方法を異なる大きさおよびタイプのタイヤに適用することが可能になると考える。
【００８１】
好ましくは、関係が計算される前記第１の出力データおよび前記第２の出力データのそれぞれは、前記第１および第２の入力データをほぼ一定に維持しながら、測定面を前記回転軸のまわりに少なくとも完全に２回転させた後、検出されたものである。
【００８２】
本出願人は、これが、試験を客観的にするのを可能にすると考える。その理由は、出力データの検出が、配置ステップの後に行われ、起こり得るヒステリシスを防止するからである。
【００８３】
好ましくは、タイヤの同じ横部分にある測定面の少なくとも２つの異なる位置で、出力データの少なくとも２つの値、または出力データの前記第２の値と出力データの前記第１の値との間の少なくとも２つの関係が比較される。
【００８４】
本出願人は、いわゆる「弱体サイドウオール」欠陥を示すことだけでなく、自由横部分の起こり得る不均一性を特定することも目的とするタイヤの特徴付けが可能であると考える。
【００８５】
好ましくは、前記支持面は実質的に水平である。
【００８６】
好ましくは、前記関係は、出力データの前記第２の値と出力データの前記第１の値との間の差を表す。
【００８７】
好ましくは、前記関係は、出力データの前記第２の値と出力データの前記第１の値との間の比率を表す。
【００８８】
好ましくは、圧力要素に動作可能に連結され、圧力要素を自由横部分に押し当てるように構成された圧力アクチュエータが設けられる。
【００８９】
本出願人は、特定の圧力アクチュエータを設けることで、検出および比較ステップを、試験されるタイヤのタイプに応じて装置を配置するステップから独立させることができると考える。
【００９０】
好ましくは、圧力要素に動作可能に連結され、圧力要素をタイヤの自由横部分に接近させるように構成された接近アクチュエータが設けられる。
【００９１】
本出願人は、圧力要素の接近により、本発明による方法を異なる大きさおよびタイプのタイヤに適用することが可能になると考える。
【００９２】
好ましくは、自由横部分を検出して、前記接近アクチュエータを停止させるように構成されたセンサが設けられる。
【００９３】
本出願人は、センサが存在することで、測定面での圧力要素の位置決めが容易になり、最適化されると考える。
【００９４】
好ましくは、前記圧力要素を含み、圧力要素をタイヤの自由横部分に対して位置決めするための前記位置決めアクチュエータに動作可能に連結された少なくとも１つの第１のスライダが設けられる。
【００９５】
好ましくは、前記第１のスライダは、少なくとも１つの第２のスライダを含み、第２のスライダは、前記圧力要素を含み、圧力要素をタイヤの自由横部分にさらに接近させる前記接近アクチュエータに動作可能に連結される。
【００９６】
本発明のさらなる特徴および利点が、同封の図を参照して非限定的な例として述べる、本発明による、タイヤを管理する方法および装置についての以下の説明から明らかになるであろう。
【図面の簡単な説明】
【００９７】
【図１】本発明による装置の概略斜視図である。
【図２】異なる動作条件での図１の装置の概略斜視図である。
【図３】本発明による装置に配置されるタイヤの概略断面図である。
【図４】横座標が、タイヤの測定面の角度位置を示し、縦座標が、ほぼ一定の力を加えた後の、タイヤの自由部分の高さに対応する出力データの値を示す、２つの異なるタイヤの図である。
【図５】横座標が、タイヤの測定面の角度位置を示し、縦座標が、ほぼ一定の力を加えた後の、タイヤの自由部分の高さに対応する出力データの値を示す、２つの異なるタイヤの図である。
【図６】横座標が、タイヤの測定面の角度位置を示し、縦座標が、ほぼ一定の力を加えた後の、タイヤの自由部分の高さに対応し、タイヤの回転の回数に対応する出力データの値を示す図である。
【図７】横座標が、タイヤの測定面の角度位置を示し、縦座標が、ほぼ一定の高さにした後の、タイヤの自由部分での反力に対応する出力データの値を示す、２つの異なるタイヤの図である。
【図８】横座標が、タイヤの測定面の角度位置を示し、縦座標が、ほぼ一定の高さにした後の、タイヤの自由部分での反力に対応する出力データの値を示す、２つの異なるタイヤの図である。
【発明を実施するための形態】
【００９８】
同封の図を参照すると、参照番号１は、本発明による、タイヤを管理する装置全体を示している。
【００９９】
好ましくは水平であり、タイヤ３を受けるように構成された支持面が２で示され、軸方向中央の線平面４（図３）が支持面にほぼ平行になる形で配置されている。特に、支持面２は、タイヤを支持面２自体と一体にするために、タイヤの半径方向内側部分を固定するように構成されたグリップ２ａを含む。
【０１００】
タイヤ３（図３）は、タイヤの半径方向外側領域で、軸方向中央の線平面にほぼ垂直に配置されたクラウン部分５を含む。そのようなクラウン部分５は、トレッドバンド６と、クラウン構造体７の一部分と、トレッドバンド６に対して半径方向内側に配置されたカーカス構造体８の一部分とに対応している。
【０１０１】
タイヤ３はまた、半径方向内側で、それぞれ軸方向中央の線平面の両側に配置された２つの固定部分９を含む。固定部分９は、ホイールのリムと係合する態様で構成されている。
【０１０２】
タイヤ３はまた、２つの横部分１０ａ、１０ｂを含み、この横部分１０ａ、１０ｂは、それぞれ各固定部分９とクラウン部分５との間で、軸方向中央の線平面の軸方向両側に延長されている。各横部分は、サイドウオール１１と、サイドウオール１１に対して軸方向内側位置に配置されたカーカス１２の一部分とに対応している。
【０１０３】
タイヤ３が、支持面２に当接すると、タイヤの２つの横部分の一方は、前記支持面２に直接接触し、当接横部分１０ａを画定する。タイヤの２つの横部分の他方は、支持面に対して特定の高さに配置され、自由横部分１０ｂを画定する。
【０１０４】
支持面２は、フレームワーク１３内に配置され、フレームワーク１３に対して、支持面に当接したタイヤの回転軸Ｘと合致する軸のまわりに回転することができる。装置１はまた、支持面２をフレームワーク１３に対して回転させる装置（図示せず）を含む。
【０１０５】
装置１は、同封した図に示す実施形態に見られるように、タイヤをつかんで装置に出入りさせるように構成された、タイヤを取り扱う装置１４を含むことができる。特に、図１および図２は、タイヤをつかんで装置に出入りさせるように構成された関節ロボットの一部分を示している。
【０１０６】
より詳細には、第１のガイド１６は、タイヤの位置決めを装置内で制御するために、前記支持面２がスライドするのを可能にする。
【０１０７】
フレームワーク１３の入り口ガイドが１５で示され、支持面２にまたがって配置されている。
【０１０８】
入り口ガイド１５は、支持面２の上に配置されるように構成された、好ましくは水平の第２のガイド１７を含む。第２のガイド１７は、第１のスライダ１８に動作可能に連結されており、第１のスライダ１８も水平であるのが好ましい。
【０１０９】
第１のスライダ１８は、２方向で、支持面２に当接したタイヤの回転軸に垂直な位置決め方向Ｐに沿った、第１のスライダの移動を可能にするために、第２のガイド１７と第１のスライダ１８自体との間に置かれた位置決めアクチュエータ１９に動作可能に連結されている。
【０１１０】
第１のスライダ１８は、接近アクチュエータ２１の動作により、好ましくは垂直で、第１のスライダ１８上をスライド可能な第２のスライダ２０を含む。好ましくは垂直の、第１のスライダ１８の第３のガイドが２２で示されており、第２のスライダ２０は、接近方向Ａに沿って２つの方向で、第３のガイド２２に沿って並進する。
【０１１１】
第２のスライダ２０は、支持面２に向けられた力Ｆをタイヤの自由横部分１０ｂの測定面Ｍに加えるように構成された圧力要素２３を含む。
【０１１２】
好ましくは、圧力要素２３は、好ましくは水平の回転軸２４と共に配置され、使用時に、支持面２に当接したタイヤの半径方向に概ね合わせて配置される小ホイールを含む。
【０１１３】
圧力要素２３は、圧力要素２３自体に動作可能に連結され、圧力要素２３を圧力方向Ｓに沿って、自由横部分１０ｂに押し当てるように構成された圧力アクチュエータ２５を介して、第２のスライダ２０に連結されている。
【０１１４】
自由横部分１０ｂを検出して、接近アクチュエータ２１を停止させるように構成されたセンサが、２６で示されている。センサは、センサアクチュエータ２７を介して第２のスライダ２０に連結されている。
【０１１５】
第１のスライダ１８と、接近アクチュエータ２１を有する第２のスライダ２０と、圧力アクチュエータ２５を有する圧力要素２３と、場合によっては、センサアクチュエータ２７を有するセンサ２６とは、第２のガイド１７上で並進し、位置決め方向Ｐに沿って移動可能な第１のグループを構成している。言い換えると、第１のスライダ１８は、圧力要素２３を含み、圧力要素２３を、好ましくは水平面に沿って、タイヤ３の自由横部分１０ｂに対して位置決めするために、位置決めアクチュエータ１９に動作可能に連結されている。
【０１１６】
第２のスライダ２０と、圧力アクチュエータ２５を有する圧力要素２３と、場合によっては、センサアクチュエータ２７を有するセンサ２６とは、第３のガイド２２上で並進し、接近方向Ａに沿って移動可能な第２のグループを構成している。言い換えると、第２のスライダ２０は、圧力要素２３を含み、圧力要素２３を、好ましくは垂直面に沿って、タイヤ３の自由横部分１０ｂにさらに接近させるために、接近アクチュエータ２１に動作可能に連結されている。
【０１１７】
上記のアクチュエータは、任意のタイプ（空気式アクチュエータ、油圧式アクチュエータ、電気アクチュエータなど）、好ましくは、移動可能なピストンを備えたシリンダタイプとすることができる。
【０１１８】
使用時、例えば、取扱装置１４を用いて、タイヤ３は、当接横部分１０ａおよび自由横部分１０ｂを規定するように、軸方向中央の線平面を支持面自体にほぼ平行にして支持面２に配置される。
【０１１９】
支持面２に向けられた力Ｆを自由横部分１０ｂの測定面Ｍに加えるために、圧力要素２３は、自由横部分１０ｂに対して測定面Ｍ上で垂直に配置される。次いで、自由横部分１０ｂに向かう接近移動が作動されて、圧力要素２３をタイヤ３に接近させる。最後に、好ましくは、センサ２６で自由横部分１０ｂを検出して、接近移動を停止すると同時に、自由横部分１０ｂに押し当てた圧力要素２３の圧力移動が作動される。
【０１２０】
より詳細には、位置決めアクチュエータ１９は、第１のスライダ１８および第２のスライダ２０（および対応するアクチュエータ）を介して圧力要素２３に動作可能に連結され、圧力要素２３を位置決め方向Ｐに沿って移動させる、すなわち、タイヤ２９の回転軸Ｘに垂直な少なくとも１つの移動要素を用いて移動させるように構成されている。
【０１２１】
（図１に示す実施形態では水平方向の）第１の並進グループの並進移動は、圧力要素２３が、自由横部分１０ｂに対して測定面Ｍ上で垂直に配置されるまで、試験されるタイヤの大きさに基づいて実施される。言い換えると、第１の並進グループの並進移動は、所望の測定面Ｍに対応した半径方向の位置に達するまで実施される。測定面Ｍは、例えば、力Ｆを加える前に、支持面２に対してより高い位置に配置されたタイヤの自由横部分１０ｂの領域に配置される。好ましくは、測定面は、タイヤの自由横部分１０ｂの軸方向外側領域に配置される。
【０１２２】
接近アクチュエータ２１は、第２のスライダ２０および対応するアクチュエータを介して、圧力要素２３に動作可能に連結され、圧力要素２３を（図２に示す実施形態では垂直方向に）タイヤ３の自由横部分１０ｂに接近させるように構成されている。
【０１２３】
言い換えると、所望の半径方向位置に達した後、自由横部分１０ｂに向かう接近移動が、接近アクチュエータ２１によって作動され、圧力要素２３を接近方向Ａに沿ってタイヤ３に接近させる。
【０１２４】
自由横部分１０ｂは、接近移動を停止し、接近アクチュエータ２１を到達した位置に止めるために、センサ２６によって検出される。
【０１２５】
そのような位置では、圧力要素２３は、自由横部分１０ｂと接触することができる。圧力アクチュエータ２５は、自由横部分１０ｂに押し当てた圧力要素２３の圧力移動を作動させ、力Ｆを作用させる態様で、所望のスラスト圧力を発生させる。測定面Ｍは、圧力要素２３と接触する自由横部分１０ｂの面である。
【０１２６】
場合によっては、タイヤは、力を加える前に空気を入れることができる。
【０１２７】
支持面２は、圧力要素２３と、試験されるタイヤの自由横部分１０ｂとの間の接触を維持しながら、タイヤ３の回転軸Ｘのまわりを回転する。圧力要素２３はその位置を維持し、小ホイール２４は、自由横部分１０ｂ上で回転する。タイヤを支持面と一体に保持するグリップ２ａと共に支持面２を回転させる装置は、タイヤの回転軸Ｘに対する、ひいては、自由横部分１０ｂに対する測定面の角度位置を変えるように構成された装置の例を明確に示している。
【０１２８】
測定面は、回転軸からほぼ一定の距離に配置されるのが好ましい。
【０１２９】
１つの可能な実施形態によれば、力Ｆは、測定面Ｍが取る各位置で、タイヤ３の自由横部分１０ｂの高さを検出する態様のタイヤの（下記に説明する）様々な管理ステップにおいて、ほぼ一定に維持される入力データとなる。この場合に、タイヤ３の自由横部分１０ｂの高さは、様々な管理ステップでの力の各設定値に対応する値を有する出力データとなる。
【０１３０】
例えば、自由横部分１０ｂの高さを検出するために、装置１は、圧力アクチュエータ２５の位置を検出するように構成されたレーザ位置トランスデューサ（図示せず）を含むことができる。
【０１３１】
図４および図５を参照して、本発明によるタイヤを管理する方法が下記に説明される。
【０１３２】
上記の実施形態（一定力）によれば、本発明によるタイヤを管理する方法は、加える力Ｆの第１の値Ｉ１を設定し、その力を回転軸のまわりの測定面の少なくとも完全な１回転（好ましくは３回転）にわたり、ほぼ一定に維持すると規定する。例えば、加える力の第１の値Ｉ１は、低い圧力での自由横部分１０ｂの圧縮サイクルを規定する態様で、約０．５Ｎ〜約５００Ｎ、より好ましくは、約１０Ｎ〜約２０Ｎとすることができる。あるいは、加える力の第１の値Ｉ１は、単に、圧力アクチュエータシリンダの重量力に対応する値まで落とすことができる。
【０１３３】
上記の第１の値Ｉ１を作用させている間、タイヤの自由横部分１０ｂは、加えられた力を受けて配置される。
【０１３４】
タイヤの、ひいては測定面の回転中に、測定面Ｍの各位置において、タイヤの自由横部分１０ｂの高さＱの第１の値Ｕ１が検出される。特に、測定面が回転軸のまわりに少なくとも完全に２回転した後、タイヤの自由横部分１０ｂの高さの第１の値Ｕ１が検出される。
【０１３５】
次に、加える力の第２の値Ｉ２がセットされ、回転軸Ｘのまわりの測定面の少なくとも完全な１回転（好ましくは完全な２回転）にわたり、ほぼ一定に維持される。力の第１の値Ｉ１（入力データの第１の値）は、力の第２の値Ｉ２（入力データの第２の値）よりも小さい。例えば、加える力の第２の値Ｉ２は、高い圧力での自由横部分１０ｂの圧縮サイクルを規定する態様で、約０．６Ｎ〜約６００Ｎ、より好ましくは、約１２０Ｎ〜約１５０Ｎとすることができる。
【０１３６】
上記の第２の値Ｉ２を適用中に、タイヤの自由横部分１０ｂは、加えられた力を受けてかなり動く（例えば、最大で５ｃｍ）。
【０１３７】
タイヤの、ひいては測定面の回転中に、測定面Ｍの各位置において、タイヤの自由横部分１０ｂの高さの第２の値Ｕ２が検出される。特に、測定面が回転軸のまわりに少なくとも完全に２回転した後、タイヤの自由横部分１０ｂの高さの第２の値Ｕ２が検出される。
【０１３８】
自由横部分１０ｂの高さの２つの値が検出された後、測定面の各位置において、関係Ｄが、第２の値Ｕ２と第１の値Ｕ１との間で計算される。好ましくは、前記関係Ｄは、第２の値Ｕ２と第１の値Ｕ１との間の差を表す。別の好ましい実施形態によれば、関係Ｄは、第２の値Ｕ２と第１の値Ｕ１との間の比率を表す。有利にも、装置１は、測定面の各位置において、加える力の第１の値Ｉ１に対応する高さの第１の値Ｕ１を検出し、高さの第２の値Ｕ２が、加える力の第２の値Ｉ２に対応する測定面の各位置において、高さの第２の値Ｕ２を検出するようにプログラムを組まれた制御ユニット２８を含む。さらに、制御ユニットは、測定面の各位置で、高さの第２の値Ｕ２（出力データの第２の値）と高さの第１の値（出力データの第１の値）との間の関係を計算するようにプログラムを組まれたモジュールを含む。
【０１３９】
次に、測定面の各位置で、高さの第２の値Ｕ２（出力データの第２の値）と高さの第１の値（出力データの第１の値）との間の関係Ｄが廃棄閾値Ｓと比較され、そのような比較の結果に応じて、タイヤを廃棄するか、または容認する。関係Ｄが、高さの第２の値Ｕ２と高さの第１の値Ｕ１との間の差を表す、好ましい実施形態によれば、図４は、２つの高さ間の差が、廃棄閾値Ｓよりも小さいことから、許容範囲にあるタイヤに対応し、一方、図５は、２つの高さ間の差が、廃棄閾値Ｓよりも大きいことから、廃棄されるタイヤに対応している。
【０１４０】
有利にも、制御ユニットは、関係Ｄと廃棄閾値Ｓとの間の比較を行うようにプログラムを組むことができる。
【０１４１】
好ましくは、測定面の各位置で、高さの値（出力データの値）を連続的に検出することができる。特に、出力データの値は、好ましくは、圧力要素２３と自由横部分１０ｂとの間の接触を絶えず維持しながら、測定面の各角度位置に対して検出される。
【０１４２】
場合によっては、タイヤの同じ横部分にある測定面の少なくとも２つの異なる角度位置で計算された、高さの第２の値Ｕ２（出力データの第２の値）と高さの第１の値Ｕ１（出力データの第１の値）との間の少なくとも２つの関係Ｄ１およびＤ２を比較することができる。あるいは、タイヤの同じ横部分にある測定面の少なくとも２つの異なる角度位置での少なくとも２つの高さの値（例えば、出力データの第２の値）を比較することができる。
【０１４３】
例えば、図６に示すように、ほぼ一定の力Ｆが加えられ、自由横部分の高さが、軸Ｘのまわりのタイヤの３回転以上にわたって検出される。同じ自由横部分の領域において、角度領域２９は、力Ｆの作用の下で特定の高さに配置された剛性の高い方の部分に対応し、一方、領域３０は、同じ力Ｆの作用の下で低い高さに配置された剛性の低い方の部分に対応する。したがって、この場合に、自由横部分自体の不均一性が検出されている。
【０１４４】
図６はまた、連続するタイヤ回転に対応するいくつかの曲線が示されていることを考慮すると、出力データの、ひいては、高さの値が、タイヤの３回転目から安定することを示している。特に、ａ）では、タイヤの１回転目で計算した出力データの、ひいては、高さの値の曲線を示し、ｂ）では、タイヤの２回転目で計算した出力データの、ひいては、高さの曲線を示し、ｃ）では、タイヤの３回転目で計算した出力データの、ひいては、高さの曲線を示した。１回転目から３回転目までの推移で、曲線の形態が安定したことが分かる。４回転目から後（図示せず）では、曲線の形態は、３回転目に対応する曲線ｃ）に概ね等しく、ほぼ一定に維持され、出力データの値は、曲線ｃ）のものよりも若干小さい。
【０１４５】
タイヤの横部分に対して試験を実行した後、自由横部分と当接横部分とを逆にするような態様でタイヤを傾転させ、すでに説明した作業を繰り返すことが可能である。結果として、タイヤの各横部分に対して、図４〜６のものと同様の結果を得ることができる。
【０１４６】
タイヤの各横部分に対して試験を行った後、測定面の特定の位置で、タイヤの横部分に関して計算された関係と、軸方向中央の線平面に関して対称な測定面の位置で、タイヤの他方の横部分に関して計算された関係との間の総合的な関係を計算することが可能である。次に、総合的な関係を廃棄閾値と比較して、その比較に応じて、タイヤを廃棄するか、または容認することが可能である。
【０１４７】
別の実施形態によれば、測定面Ｍが取る各位置でのタイヤ３の自由横部分１０ｂの高さは、自由横部分の反力を検出するような態様で、様々なタイヤ管理ステップでほぼ一定に維持される入力データとなる。この場合に、タイヤ３の自由横部分１０ｂで検出される力は、様々な管理ステップでの高さの各設定値に対応する値を有する出力データとなる。上記に説明したことは、入力データが、測定面Ｍが取る各位置でのタイヤ３の自由横部分１０ｂの高さによって構成される場合にも同様に当てはまり得る。図７および図８は対応する図であり、この図では、
Ｉ１およびＩ２は、それぞれ自由横部分の第１の高さおよび第２の高さに対応する入力データの第１および第２の値であり、Ｉ１はＩ２よりも大きく、
Ｕ１およびＵ２は、それぞれ自由横部分によって発揮される第１の力および第２の力に対応する出力データの第１および第２の値であり、
Ｄは関係であり、特定の場合に、Ｕ２とＵ１との間の差である。
【０１４８】
この場合に、関係Ｄ、すなわち、Ｕ２とＵ１との間の差が廃棄閾値と比較されたときに、Ｄが廃棄閾値Ｓ未満（図７）であると、タイヤは廃棄され、一方、Ｄが廃棄閾値よりも大きい（図８）と、タイヤは容認される。
【０１４９】
したがって、概括的には、
測定面の各位置での力または高さに対応する入力データの第１の値Ｉ１をセットし、回転軸Ｘのまわりの測定面の少なくとも完全な１回転にわたり、第１の値をほぼ一定に維持し、
測定面の各位置での出力データの第１の値を検出し、出力データは、入力データが測定面の各位置でのタイヤの自由横部分の高さである場合は力に、または入力データが測定面の各位置で加えられる力である場合は高さに対応し、
入力データの第２の値Ｉ２をセットし、回転軸Ｘのまわりの測定面の少なくとも完全な１回転にわたり、第２の値をほぼ一定に維持し、入力データの第１の値Ｉ１は、入力データの第２の値Ｉ２とは異なり、好ましくは、自由横部分の構成を明らかにするのに適し、
測定面の各位置での出力データの第２の値Ｕ２を検出し、出力データの第２の値Ｕ２は、入力データの第２の値Ｉ２に対応し、
測定面の各位置において、出力データの第２の値Ｕ２と出力データの第１の値Ｕ１との間の関係Ｄを計算する、
とされる。
【図１】
2016540978.tif 000003
【図２】
2016540978.tif 000004
【図３】
2016540978.tif 000005
【図４】
2016540978.tif 000006
【図５】
2016540978.tif 000007
【図６】
2016540978.tif 000008
【図７】
2016540978.tif 000009
【図８】
2016540978.tif 000010
【国際調査報告】
2016540978.tif 000011
2016540978.tif 000012